(57)【特許請求の範囲】
【請求項１】
放送局またはストリーミングサーバから映像コンテンツを受信する段階と、
ソーシャルネットワークサービスに連動された複数の映像表示装置から前記映像コンテンツに係わるソーシャルネットワークデータを送受信するために、前記複数の映像表示装置とサーバシステムとの間のソーシャルネットワークサービスを実行する段階と、
前記ソーシャルネットワークサービスに連動された複数の映像表示装置の映像コンテンツ再生時間に対応する情報を基にして設定された基準時間を前記サーバシステムから受信する段階であり、前記基準時間は、前記ソーシャルネットワークサービスに連動された前記映像表示装置のそれぞれに表示される前記映像コンテンツ再生時間に応じて設定される、段階と、
前記基準時間に基づいて、前記映像コンテンツを表示する段階と、を含み、
前記映像コンテンツは、それぞれの前記複数の映像表示装置で同時に表示され、
前記基準時間が現在の映像コンテンツ再生時間よりも遅い場合には、前記受信された映像コンテンツをメモリに一時的に保存し、前記現在の映像コンテンツ再生時間と前記基準時間との差に対応する時間が経過した後で、前記映像コンテンツを表示し、
前記基準時間は、前記ソーシャルネットワークサービスに連動された前記複数の映像表示装置のうち、前記映像コンテンツ再生時間が最も遅れた映像表示装置での前記映像コンテンツ再生時間に設定される、
ことを特徴とする映像表示装置の動作方法。
【請求項２】
前記映像コンテンツは、放送コンテンツ、及び前記放送コンテンツを再伝送するストリーミングコンテンツを含むことを特徴とする請求項１に記載の映像表示装置の動作方法。
【請求項３】
前記映像コンテンツを表示する段階は、
前記映像コンテンツの再生時間を、前記基準時間に同期化させ、前記映像コンテンツを表示することを特徴とする請求項１に記載の映像表示装置の動作方法。
【請求項４】
前記映像コンテンツを表示する段階は、
前記ソーシャルネットワークサービスに連動された前記複数の映像表示装置それぞれと同一時間に、前記映像コンテンツを表示することを特徴とする請求項１に記載の映像表示装置の動作方法。
【請求項５】
前記ソーシャルネットワークサービスを実行する段階は、
少なくとも１つの他の映像表示装置とソーシャルグループを形成する段階を含むことを特徴とする請求項１に記載の映像表示装置の動作方法。
【請求項６】
放送局またはストリーミングサーバから受信した映像コンテンツを表示するディスプレイ部と、
ソーシャルネットワークサービスに連動された複数の映像表示装置から前記映像コンテンツに係わるソーシャルネットワークデータを送受信するために、前記複数の映像表示装置とサーバシステムとの間のソーシャルネットワークサービスを実行するように制御する制御部と、
前記ソーシャルネットワークサービスに連動された複数の映像表示装置の映像コンテンツ再生時間に対応する情報を基にして設定された基準時間を前記サーバシステムから受信するネットワークインターフェース部であり、前記基準時間は、前記ソーシャルネットワークサービスに連動された前記映像表示装置それぞれに表示される前記映像コンテンツ再生時間に応じて設定される、ネットワークインターフェース部と、を含み、
前記制御部は、前記基準時間に基づいて、前記映像コンテンツを表示するように制御し、
前記映像コンテンツは、それぞれの前記複数の映像表示装置で同時に表示され、
前記基準時間が現在の映像コンテンツ再生時間よりも遅い場合には、前記受信された映像コンテンツをメモリに一時的に保存し、前記現在の映像コンテンツ再生時間と前記基準時間との差に対応する時間が経過した後で、前記映像コンテンツを表示し、
前記基準時間は、前記ソーシャルネットワークサービスに連動された前記複数の映像表示装置のうち、前記映像コンテンツ再生時間が最も遅れた映像表示装置での前記映像コンテンツ再生時間に設定される、
ことを特徴とする映像表示装置。
【請求項７】
前記映像コンテンツは、放送コンテンツ、及び前記放送コンテンツを再伝送するストリーミングコンテンツを含むことを特徴とする請求項６に記載の映像表示装置。
【請求項８】
前記制御部は、
前記映像コンテンツの再生時間を、前記基準時間に同期化させ、前記映像コンテンツを表示することを特徴とする請求項６に記載の映像表示装置。
【請求項９】
前記制御部は、
前記ソーシャルネットワークサービスに連動された映像表示装置と同一時間に、前記映像コンテンツを表示することを特徴とする請求項６に記載の映像表示装置。
【発明の詳細な説明】
【技術分野】
【０００１】
本発明は、映像表示装置、サーバ及びその動作方法に係り、さらに詳細には、映像コンテンツを基にするソーシャルネットワークサービスに連動された映像表示装置の間に、映像コンテンツを同期化させて表示したり、映像コンテンツとソーシャルネットワークサービスデータとを同期化させて表示したりする映像表示装置及びその動作方法に関する。
【背景技術】
【０００２】
映像表示装置は、ユーザが視聴することができる映像を表示する機能を備えた装置である。ユーザは、映像表示装置を介して放送を視聴することができる。映像表示装置は、放送局によって送出される放送信号のうち、ユーザが選択した放送をディスプレイに表示する。現在放送は、全世界的にアナログ放送からデジタル放送に転換されている。
【０００３】
デジタル放送は、デジタル映像及び音声信号を送出する放送を意味する。デジタル放送は、アナログ放送に比べ、外部ノイズに強く、データ損失が小さく、エラー訂正に有利であり、解像度が高く、鮮かな画面を提供する。また、デジタル放送は、アナログ放送と異なり、双方向サービスが可能である。
【０００４】
また、最近では、デジタル放送機能に加え、多様なコンテンツを提供するスマートＴＶ（television）が提供されている。スマートＴＶは，ユーザの選択によって受動的に動作するのではなく、ユーザ操作なしも、ユーザ所望を分析して提供することを目標にする。
【発明の概要】
【発明が解決しようとする課題】
【０００５】
互いに異なる伝送方式によって受信した映像コンテンツの再生画面間に差が存在する。
【課題を解決するための手段】
【０００６】
本発明は、映像コンテンツ基盤ソーシャルネットワークサービスに連動された複数の映像表示装置の映像コンテンツ表示を同期化させることができる映像表示装置、サーバ及びその動作方法を提供するものである。
【発明の効果】
【０００７】
本発明の実施形態によれば、互いに異なる伝送方式によって受信した映像コンテンツの再生画面を同期化させることができ、複数の映像表示装置間再生画面差による不都合を解消することができる。また、本発明の実施形態によれば、コンテンツの再生画面と、それによるソーシャルネットワークサービスデータとを同期化させることができ、ユーザの利用便宜性を向上させることができる。
【図面の簡単な説明】
【０００８】
【図１】本発明の一実施形態によるコンテンツ基盤ソーシャルネットワークサービスシステムを示す図面である。
【図２】本発明の一実施形態による映像表示装置の構成を示すブロック図である。
【図３】本発明の他の実施形態による映像表示装置の構成を示すブロック図である。
【図４】本発明の一実施形態による第１サーバの構成を示すブロック図である。
【図５】本発明の一実施形態によるコンテンツ基盤ソーシャルネットワークサービスシステムにおいて、コンテンツの同期化方法について説明するための図面である。
【図６】本発明の一実施形態による映像表示装置の動作方法を示すフローチャートである。
【図７】本発明の一実施形態によるサーバの動作方法を示すフローチャートである。
【図８】本発明の一実施形態による映像表示装置の動作方法の説明に参照される図面である。
【図９】本発明の一実施形態による映像表示装置の動作方法の説明に参照される図面である。
【図１０Ａ】本発明の一実施形態による映像表示装置の動作方法の説明に参照される図面である。
【図１０Ｂ】本発明の一実施形態による映像表示装置の動作方法の説明に参照される図面である。
【図１１Ａ】本発明の一実施形態による映像表示装置の動作方法の説明に参照される図面である。
【図１１Ｂ】本発明の一実施形態による映像表示装置の動作方法の説明に参照される図面である。
【図１２】本発明の他の実施形態によるコンテンツ基盤ソーシャルネットワークサービスシステムにおいて、コンテンツの同期化方法について説明するための図面である。
【図１３】本発明の他の実施形態による映像表示装置の動作方法を示すフローチャートである。
【図１４】本発明の他の実施形態によるサーバの動作方法を示すフローチャートである。
【図１５】本発明の一実施形態による同期化方法の説明に参照される図面である。
【発明を実施するための形態】
【０００９】
本発明の１以上の実施形態は、映像コンテンツ基板ソーシャルネットワークサービスに連動された複数の映像表示装置の映像コンテンツ表示を同期化させる映像表示装置、サーバ及びその動作方法を含む。
【００１０】
本発明の１以上の実施形態は、映像コンテンツとソーシャルネットワークサービスデータとの表示を同期化させる映像表示装置、サーバ及びその動作方法を含む。
追加的な側面は、以下の説明において、部分的に提示するが、該説明から明らかであったり、あるいは実施形態によって習得されたりするものである。
【００１１】
本発明の一実施形態による映像表示装置の動作方法は、映像コンテンツを受信する段階、前記映像コンテンツを基にするソーシャルネットワークサービス（ＳＮＳ：social  network  service）を実行する段階、前記ソーシャルネットワークサービスに連動された映像表示装置の映像コンテンツ再生時間情報を基にして設定された基準時間を受信する段階，及び前記基準時間に基づいて、前記映像コンテンツを表示する段階を含むことを特徴とする。
【００１２】
本発明の一実施形態による基準時間は、前記ソーシャルネットワークサービスに連動された映像表示装置のうち、前記映像コンテンツ再生時間が最も遅れた映像表示装置での前記映像コンテンツ再生時間に設定されたことを特徴とする。
【００１３】
本発明の一実施形態による映像コンテンツは、放送コンテンツ、及び前記放送コンテンツを再伝送するストリーミングコンテンツを含むことを特徴とする。
【００１４】
本発明の一実施形態による映像コンテンツを表示する段階は、前記映像コンテンツの再生時間を前記基準時間に同期化させ、前記映像コンテンツを表示することを特徴とする。
【００１５】
本発明の一実施形態による映像コンテンツを表示する段階は、前記ソーシャルネットワークサービスに連動された映像表示装置と同一時間に、前記映像コンテンツを表示することを特徴とする。
【００１６】
本発明の一実施形態によるソーシャルネットワークサービスを実行する段階は、少なくとも１つの他の映像表示装置とソーシャルグループを形成する段階を含むことを特徴とする。
【００１７】
本発明の一実施形態による映像表示装置は、受信した映像コンテンツを表示するディスプレイ部、前記映像コンテンツを基にするソーシャルネットワークサービスを実行するように制御する制御部、及び前記ソーシャルネットワークサービスに連動された映像表示装置の映像コンテンツ再生時間情報を基にして設定された基準時間を受信するネットワークインターフェース部を含み、前記制御部は、前記基準時間に基づいて、前記映像コンテンツを表示するように制御することを特徴とする。
【００１８】
本発明の一実施形態による制御部は、前記映像コンテンツの再生時間を前記基準時間に同期化させ、前記映像コンテンツを表示することを特徴とする。
【００１９】
本発明の一実施形態による制御部は、前記ソーシャルネットワークサービスに連動された映像表示装置と同一時間に、前記映像コンテンツを表示することを特徴とする。
【００２０】
本発明の一実施形態による映像表示装置の動作方法は、映像コンテンツを受信して表示する段階、前記映像コンテンツを基にするソーシャルネットワークサービスを実行する段階、前記映像コンテンツに係わるソーシャルネットワークサービスデータを要請する段階、前記映像コンテンツの再生時間を基準にして決定された前記データの生成時間及び前記データを受信する段階、及び前記データの生成時間に基づいて、前記データを出力する段階を含むことを特徴とする。
【００２１】
本発明の一実施形態による映像表示装置の動作方法は、前記映像コンテンツの再生時間情報を伝送する段階をさらに含むことを特徴とする。
【００２２】
本発明の一実施形態による映像表示装置の動作方法は、前記映像コンテンツ表示において、バッファリングが発生した場合、前記映像コンテンツの再生時間情報を再伝送する段階をさらに含むことを特徴とする。
【００２３】
本発明の一実施形態によるソーシャルネットワークサービスデータは、前記映像コンテンツと係わり、前記ソーシャルネットワークサービスに連動された映像表示装置から受信した映像データ、音声データ及び文字データを含むことを特徴とする。
【００２４】
本発明の一実施形態によるデータを出力する段階は、前記映像コンテンツの再生時間が前記データの生成時間と同じになる場合、前記データを出力することを特徴とする。
【００２５】
本発明の一実施形態による映像コンテンツは放送コンテンツ、及び前記放送コンテンツを再伝送するストリーミングコンテンツを含むことを特徴とする。
【００２６】
本発明の一実施形態による映像コンテンツがストリーミングコンテンツであり、前記ストリーミングコンテンツ表示において、バッファリングが発生した場合、前記動作方法は、前記バッファリング時間を計算し、前記バッファリング時間ほど前記データを遅延させて出力する段階をさらに含むことを特徴とする。
【００２７】
本発明の一実施形態による映像表示装置は、受信した映像コンテンツを表示するディスプレイ部、前記映像コンテンツを基にするソーシャルネットワークサービスを実行し、前記映像コンテンツに係わるソーシャルネットワークサービスデータを要請する制御部、及び前記映像コンテンツの再生時間を基準にして決定された前記データの生成時間及び前記データを受信するネットワークインターフェース部を含み、前記制御部は、前記データの生成時間に基づいて、前記データを出力することを特徴とする。
【００２８】
本発明の一実施形態によるネットワークインターフェース部は、前記映像コンテンツの再生時間情報を伝送する段階をさらに含むことを特徴とする。
【００２９】
本発明の一実施形態による前記制御部は、前記映像コンテンツの再生時間が前記データの生成時間と同じになる場合、前記データを出力することを特徴とする。
【００３０】
本発明の一実施形態によるサーバの動作方法は、映像コンテンツを基にするソーシャルネットワークサービスに連動された映像表示装置の映像コンテンツ再生時間情報、及び前記映像コンテンツに係わるソーシャルネットワークサービスデータを受信する段階、前記再生時間情報を基にして、前記データの生成時間を決定する段階、前記複数の映像表示装置のうち少なくとも一つから、前記データ要請を受信する段階、及び前記データが前記決定された生成時間によって、前記映像コンテンツと同期化されて表示されるように、前記複数の映像表示装置のうち少なくとも一つに、前記データを伝送する段階を含むことを特徴とする。
【００３１】
本発明の一実施形態によるデータの生成時間を決定する段階は、前記データが生成された時点の前記映像コンテンツの再生時間を、前記データの生成時間と決定することを特徴とする。
【００３２】
本発明の一実施形態によるデータを伝送する段階は、前記データ生成時間を共に伝送することを特徴とする。
【００３３】
本発明の一実施形態によるデータを伝送する段階は、前記データを前記データ生成時間に合わせて伝送することを特徴とする。
【００３４】
以下、図面を参照し、本発明についてさらに詳細に説明する。
【００３５】
以下の説明で使用される構成要素に係わる接尾辞「モジュール」及び「部」は、単に本明細書作成の容易性のみを考慮して付したものであり、それ自体で特別に重要な意味または役割を付するものではない。従って、前記「モジュール」及び「部」は、互いに混用されて使用されもする。
【００３６】
図１は、本発明の一実施形態によるコンテンツ基盤ソーシャルネットワークサービスシステムを示した図面である。図１を参照すれば、本発明の一実施形態によるコンテンツ基盤ソーシャルネットワークサービスシステム５０は、複数の映像表示装置１０１，１０２及びサーバシステム２０を含んでもよい。
【００３７】
以下、映像表示装置１００は、第１映像表示装置１０１及び第２映像表示装置１０２を含んでもよい。
【００３８】
本発明の一実施形態による映像表示装置１００は、固定型または移動型のデジタル放送受信可能なデジタル放送受信機でもある。
【００３９】
また、映像表示装置１００は、ＴＶ（television）受像機、モニタ、携帯電話、スマートフォン、ノート型パソコン、タブレットＰＣ（personal  computer）、デジタル放送用端末機、ＰＤＡ（personal  digital  assistant）、ＰＭＰ（portable  multimedia  player）などを含んでもよい。
【００４０】
サーバシステム２０は、第１サーバ２００及び第２サーバ３００を含んでもよい。
【００４１】
第１サーバ２００は、第１映像表示装置１０１及び第２映像表示装置１０２の連結のためのサービスを提供することができる。また、映像表示装置１００が、第２サーバ３００と連結されるように連結を中継することができる。
【００４２】
また、本発明の一実施形態と係わり、第１サーバ２００は、コンテンツ同期化サーバでもある。
【００４３】
例えば、第１サーバ２００は、第１映像表示装置１０１及び第２映像表示装置１０２に基準時間情報を伝送することができる。
【００４４】
一方、第１映像表示装置１０１及び第２映像表示装置１０２は、受信した基準時間に基づいて、映像コンテンツを表示することができる。これによって、第１映像表示装置１０１及び第２映像表示装置１０２は、映像コンテンツを同期化して表示することができる。それについては、詳細に後述する。
【００４５】
第２サーバ３００は、映像表示装置１００に、コンテンツ基盤ソーシャルネットワークサービス（ＳＮＳ）を提供するＳＮＳサーバでもある。
【００４６】
本発明の一実施形態と係わり、映像表示装置１００は、第２サーバ３００から、コンテンツを基にするソーシャルネットワークサービスを提供され、映像表示装置１００のユーザは、ソーシャルネットワークサービスに加入し、ＳＮＳアカウントを有することができる。
【００４７】
例えば、第２サーバ３００が、映像コンテンツを基にするソーシャルネットワークサービスを提供するサーバであり、第１映像表示装置１０１及び第２映像表示装置１０２のユーザが第２サーバ３００が提供するソーシャルネットワークサービスに加入している場合、第２サーバ３００は、第１映像表示装置１０１及び第２映像表示装置１０２のユーザが同一映像コンテンツを視聴しながら、互いに映像データ、音声データ及び文字データを伝送したり受信したりさせるサービスを提供することができる。
【００４８】
図２は、本発明の一実施形態による映像表示装置の構成を示すブロック図である。図２を参照すれば、本発明の一実施形態による映像表示装置１００ａは、放送受信部１５０、制御部１４０、ディスプレイ部１２０及びネットワークインターフェース部１７０を含んでもよい。
【００４９】
放送受信部１５０は、放送コンテンツ、及び放送コンテンツを再伝送するストリーミングコンテンツを受信することができる。
【００５０】
放送コンテンツは、放送局から受信することができ、ストリーミングコンテンツは、ストリーミングサーバから受信することができる。ストリーミングサーバは、生放送や、録画された放送コンテンツ、多様な動画コンテンツなどをストリーミングで提供する多様なサーバでもある。
【００５１】
制御部１４０は、映像信号を処理し、ディスプレイ部１２０に入力することができる。それにより、当該映像信号に対応する映像が、ディスプレイ部１２０に表示される。また、制御部１４０は、ユーザ入力部を介して入力されたユーザ命令または内部プログラムによって、映像表示装置１００ａを制御することができる。
【００５２】
一方、本発明の実施形態と係わり、制御部１４０は、受信した映像コンテンツに係わるソーシャルネットワークサービスを実行することができる。
【００５３】
また、制御部１４０は、コンテンツ同期化サーバ２００からコンテンツ基準時間を受信することができる。このとき、該基準時間は、ソーシャルネットワークサービスに連動された映像表示装置の映像コンテンツ再生時間情報を基にして設定された時間でもある。
【００５４】
それにより、制御部１４０は、受信した基準時間に合わせて、受信した映像コンテンツが出力されるように制御することができる。また、制御部１４０は、メモリを含み、受信した映像コンテンツをメモリに保存することができる。
【００５５】
例えば、制御部１４０は、第１時間に映像コンテンツを受信し、映像コンテンツに係わる基準時間が、第１時間より遅い方の第２時間である場合、受信した映像コンテンツを臨時にメモリに保存し、第２時間に達すれば、映像コンテンツがディスプレイ部１２０に表示されるように制御することができる。
【００５６】
一方、制御部１４０は、映像コンテンツに係わるソーシャルネットワークサービスデータをサーバシステム２０に要請することができる。このとき、ソーシャルネットワークサービスデータは、映像コンテンツと係わり、ソーシャルネットワークサービスに連動された映像表示装置から受信した映像データ、音声データ及び文字データを含んでもよい。
【００５７】
それにより、制御部１４０は、映像コンテンツの再生時間を基準にして決定されたデータの生成時間及びデータを受信することができる。また、制御部１４０は、受信したデータの生成時間に基づいて、データを出力することができる。
【００５８】
または、生成時間に合わせて第１サーバ２００から受信したデータを出力することができる。
【００５９】
一方、ディスプレイ部１２０は、制御部１４０で処理された映像信号、データ信号、ＯＳＤ（on-screen  display）信号、制御信号などを変換して駆動信号を生成する。
【００６０】
ディスプレイ部１２０は、ＰＤＰ（plasma  display  panel）、ＬＣＤ（liquid  crystal  display）、ＯＬＥＤ（organic  light  emitting  display）、フレキシブルディスプレイ（flexible  display）などによっても具現され、また、三次元（３Ｄ）によっても具現される。
【００６１】
また、ディスプレイ部１２０は、タッチスクリーンで構成され、出力装置以外に、入力装置として使用されることも可能である。
【００６２】
一方、本発明の一実施形態と係わり、ディスプレイ部１２０は、受信した映像コンテンツを表示することができる。このとき、映像コンテンツは、再生時間が第１サーバ２００から受信した基準時間に同期化された映像コンテンツでもある。
【００６３】
それにより、ソーシャルネットワーキングサービスに連動された映像表示装置は、同一時間に、映像コンテンツの同一フレームを表示することができる。
【００６４】
また、本発明の一実施形態と係わり、ディスプレイ部１２０は、映像コンテンツの再生時間を基準にして決定されたデータの生成時間に合わせ、映像データ、文字データなどを表示することができる。
【００６５】
それにより、ディスプレイ部１２０は、受信したデータを、データが生成された時点の映像コンテンツと同期化して表示することができる。
【００６６】
ネットワークインターフェース部１７０は、映像表示装置１００を、インターネット網を含む有無線ネットワークと連結するためのインターフェースを提供する。例えば、ネットワークインターフェース部１７０は、ネットワークを介して、インターネットまたはコンテンツプロバイダまたはネットワークオペレータが提供するコンテンツまたはデータを受信することができる。
【００６７】
一方、本発明の一実施形態と係わり、ネットワークインターフェース部１７０は、映像表示装置１００ａと、第１サーバ２００及び第２サーバ３００とを連結するためのインターフェースを提供することができる。
【００６８】
また、映像表示装置１００ａは、ネットワークインターフェース部１７０を介して、第１サーバ２００に、映像コンテンツ再生時間情報を伝送することができ、第１サーバ２００または第２サーバ３００に、ソーシャルネットワークサービスデータを伝送することができる。
【００６９】
図３は、本発明の他の実施形態による映像表示装置１００ｂの構成を示すブロック図である。図３を参照すれば、本発明の他の実施形態による映像表示装置１００ｂは、制御部１４０、ディスプレイ部１２０、ユーザ認識部１１０、ユーザ入力部１３０、放送受信部１５０、外部装置インターフェース部１８０、保存部１６０、センサ部（図示せず）及びオーディオ出力部１９０を含んでもよい。
【００７０】
図２の放送受信部１５０、制御部１４０、ディスプレイ部１２０及びネットワークインターフェース部１７０は、図１の放送受信部１５０、制御部１４０、ディスプレイ部１２０及びネットワークインターフェース部１７０に対応するので、図１で説明した内容と同一である説明は省略する。
【００７１】
放送受信部１５０は、チューナ部１５１、復調部１５２及びネットワークインターフェース部を含んでもよい。ただし、必要により、チューナ部１５１と復調部１５２とを具備しながら、ネットワークインターフェース部は含まないように設計することも可能であり、反対にネットワークインターフェース部を具備しながら、チューナ部１５１と復調部１５２とを含まないように設計することも可能であるということは言うまでもない。
【００７２】
チューナ部１５１は、アンテナを介して受信されるＲＦ（radio  frequency）放送信号のうち、ユーザによって選択されたチャネル、または既保存の全チャネルに該当するＲＦ放送信号を選択する。また、選択されたＲＦ放送信号を、中間周波数信号、ベースバンド映像または音声信号に変換する。
【００７３】
例えば、選択されたＲＦ放送信号がデジタル放送信号であるならば、デジタルＩＦintermediate  frequency）信号（ＤＩＦ）に変換し、アナログ放送信号であるならば、アナログベースバンド映像または音声信号（ＣＶＢＳ（composite  video  banking  sync）／ＳＩＦ（signal  information  field））に変換する。すなわち、チューナ部１５１は、デジタル放送信号またはアナログ放送信号を処理することができる。チューナ部１５１から出力されるアナログベースバンド映像または音声信号（ＣＶＢＳ／ＳＩＦ）は、制御部１４０に直接入力される。
【００７４】
また、チューナ部１５１は、ＡＴＳＣ（advanced  television  system  committee）方式による単一キャリアのＲＦ放送信号またはＤＶＢ（digital  video  broadcasting）方式による複数キャリアのＲＦ放送信号を受信することができる。
【００７５】
一方、チューナ部１５１は、本発明において、アンテナを介して受信されるＲＦ放送信号のうち、チャネル記憶機能を介して保存された全ての放送チャネルのＲＦ放送信号を順次に選択し、それを中間周波数信号、ベースバンド映像または音声信号に変換することができる。
【００７６】
一方、チューナ部１５１は、複数チャネルの放送信号を受信するために、複数のチューナを具備することが可能である。または、複数チャネルの放送信号を同時に受信する単一チューナも可能である。
【００７７】
復調部１５２は、チューナ部１５１で変換されたデジタルＩＦ信号（ＤＩＦ）を受信し、復調動作を遂行する。
【００７８】
復調部１５２は、復調及びチャネル復号化を行った後、ストリーム信号（ＴＳ）を出力することができる。このとき、ストリーム信号は、映像信号、音声信号またはデータ信号が多重化された信号でもある。
【００７９】
復調部１５２から出力されたストリーム信号は、制御部１４０に入力される。制御部１４０は、逆多重化、映像／音声信号処理などを行った後、ディスプレイ部１２０に映像を出力し、オーディオ出力部１９０に音声を出力する。
【００８０】
外部装置インターフェース部１８０は、接続された外部装置と、データを送信または受信することができる。そのために、外部装置インターフェース部１８０は、無線通信部（図示せず）及び  ＡＶ（audio/video）入出力部（図示せず）を含んでもよい。
【００８１】
外部装置インターフェース部１８０は、ＤＶＤ（digital  versatile  disc）、ブルーレイ（bluray）、ゲーム機器、カメラ、カムコーダ、コンピュータ（ノート型パソコン）、セットトップボックスのような外部装置と有無線で接続され、外部装置と入力／出力動作を遂行することもできる。
【００８２】
Ａ／Ｖ入出力部は、外部装置の映像及び音声信号を入力される。一方、無線通信部は、他の電子機器と近距離無線通信を行うことができる。
【００８３】
ユーザ入力部１３０は、ユーザが入力した制御命令を制御部１４０に伝達したり、制御部１４０からの信号をユーザに伝達したりする。
【００８４】
ネットワークインターフェース部１７０は、映像表示装置１００ｂを、インターネット網を含む有無線ネットワークと連結するためのインターフェースを提供する。例えば、ネットワークインターフェース部１７０は、ネットワークを介して、インターネット、コンテンツプロバイダまたはネットワークオペレータが提供するコンテンツまたはデータを受信することができる。
【００８５】
保存部１６０は、制御部１４０内の各信号の処理及び制御のためのプログラムを保存することもでき、信号処理された映像、音声またはデータ信号を保存することもできる。
【００８６】
また、保存部１６０は、外部装置インターフェース部１８０に入力される映像、音声またはデータ信号の臨時保存のための機能を遂行することもできる。また、保存部１６０は、チャネルマップなどのチャネル記憶機能を介して、所定放送チャネルに係わる情報を保存することができる。
【００８７】
図３は、保存部１６０が、制御部１４０と別途に具備された実施形態を図示しているが、本発明の範囲は、それに限定されるものではない。保存部１６０は、制御部１４０内に含まれてもよい。
【００８８】
制御部１４０は、チューナ部１５１、復調部１５２または外部装置インターフェース部１８０を介して入力されるストリームを逆多重化したり、逆多重化された信号を処理したりして、映像または音声の出力のための信号を生成及び出力することができる。
【００８９】
制御部１４０で映像処理された映像信号は、ディスプレイ部１２０に入力され、当該映像信号に対応する映像に表示される。また、制御部１４０で映像処理された映像信号は、外部装置インターフェース部１８０を介して、外部出力装置に入力される。
【００９０】
制御部１４０で処理された音声信号は、オーディオ出力部１９０に音響出力される。また、制御部１４０で処理された音声信号は、外部装置インターフェース部１８０を介して外部出力装置に入力される。
【００９１】
図３には図示されていないが、制御部１４０は、逆多重化部、映像処理部などを含んでもよい。
【００９２】
それ以外に、制御部１４０は、映像表示装置１００ｂ内の全般的な動作を制御することができる。例えば、制御部１４０は、チューナ部１５１を制御し、ユーザが選択したチャネル、または既保存のチャネルに該当するＲＦ放送を選択（tuning）するように制御することができる。
【００９３】
また、制御部１４０は、ユーザ入力部１３０を介して入力されたユーザ命令または内部プログラムによって、映像表示装置１００ｂを制御することができる。
【００９４】
一方、制御部１４０は、映像を表示するように、ディスプレイ部１２０を制御することができる。このとき、ディスプレイ部１２０に表示される映像は、静止映像または動画でもあり、３Ｄ映像でもある。
【００９５】
ディスプレイ部１２０は、制御部１４０で処理された映像信号、データ信号、ＯＳＤ信号、制御信号、外部装置インターフェース部１８０で受信される映像信号、データ信号、制御信号などを変換して駆動信号を生成する。
【００９６】
ディスプレイ部１２０は、ＰＤＰ、ＬＣＤ、ＯＬＥＤ、フレキシブルディスプレイなども可能であり、また、三次元ディスプレイも可能である。
【００９７】
一方、ディスプレイ部１２０は、タッチスクリーンで構成され、出力装置以外に、入力装置として使用されることも可能である。
【００９８】
オーディオ出力部１９０は、制御部１４０で音声処理された信号を入力され、音声として出力する。
【００９９】
ユーザ認識部１１０は、カメラを含んでもよい。ユーザ認識部１１０は、カメラを利用してユーザを撮影し、撮影された映像を基にユーザを認識することができる。
【０１００】
このとき、ユーザ認識部１１０は、１個のカメラによって具現されることも可能であるが、それに限定されるものではなく、複数のカメラによって具現されることも可能である。一方、該カメラは、映像表示装置１００ｂに埋め込まれ、ディスプレイ部１２０上部に配置されるか、あるいは別途に配置されもする。カメラで撮影された映像情報は、制御部１４０に入力される。
【０１０１】
制御部１４０は、カメラから撮影された映像、またはセンサ部（図示せず）からの感知された信号それぞれまたはその組み合わせに基づいて、ユーザのジェスチャを感知することができる。
【０１０２】
一方、映像表示装置１００ｂは、図３に図示されたところと異なり、図３に図示されたチューナ部１５１と復調部１５２とを具備せず、ネットワークインターフェース部１７０または外部装置インターフェース部１８０を介して、映像コンテンツを受信し、それを再生することもできる。
【０１０３】
一方、図２及び図３に図示された映像表示装置１００ａ，１００ｂのブロック図は、本発明の一実施形態のためのブロック図である。ブロック図の各構成要素は、実際に具現される映像表示装置１００ａ，１００ｂの仕様によって、統合、追加または省略される。すなわち、必要によって、２以上の構成要素が１つの構成要素にまとめられるか、あるいは１つの構成要素が、２以上の構成要素に細分されて構成されもする。また、各ブロックで遂行する機能は、本発明の実施形態について説明するためのものであり、その具体的な動作や装置は、本発明の権利範囲を制限するものではない。
【０１０４】
一方、映像表示装置１００ａ，１００ｂは、装置内に保存された映像、または入力される映像の信号処理を行う映像信号処理処置の一例である。映像信号処理処置の他の例としては、図３で図示されたディスプレイ部１２０とオーディオ出力部１９０とが除かれたセットトップボックス、前述のＤＶＤプレイヤ、ブルーレイプレイヤ、ゲーム機器、コンピュータなどがさらに例示されてもよい。
【０１０５】
図４は、本発明の一実施形態による第１サーバの構成を示すブロック図である。図４を参照すれば、第１サーバ２００は、プロセッサ２１０及びネットワークインターフェース部２３０を含んでもよい。
【０１０６】
ネットワークインターフェース部２３０は、第１サーバ２００を、インターネット網を含む有無線ネットワークと連結するためのインターフェースを提供する。
【０１０７】
本発明の一実施形態と係わり、ネットワークインターフェース部２３０は、ＳＮＳサーバ３００またはソーシャルネットワークに連動された複数の映像表示装置と連結するためのインターフェースを提供することができる。それにより、ネットワークインターフェース部２３０は、ネットワークを介して、ＳＮＳサーバ３００またはソーシャルネットワークに連動された複数の映像表示装置とデータを受信することができる。
【０１０８】
例えば、ネットワークインターフェース部２３０は、ソーシャルネットワークに連動された複数の映像表示装置から、映像コンテンツ再生時間情報を受信することができる。
【０１０９】
また、ソーシャルネットワークに連動された複数の映像表示装置またはＳＮＳサーバ３００から、映像コンテンツに係わるデータを受信することができる。
【０１１０】
プロセッサ２１０は、ソーシャルネットワークに連動された複数の映像表示装置から受信した映像コンテンツ再生時間情報を利用して、基準時間を設定することができる。
【０１１１】
このとき、基準時間は、複数の映像表示装置から受信した映像コンテンツ再生時間のうち最も遅れた時間に設定することができる。または、放送局から受信した映像コンテンツの再生時間に設定することができる。
【０１１２】
プロセッサ２１０で設定された基準時間は、ソーシャルネットワークに連動された複数の映像表示装置に伝送される。
【０１１３】
また、プロセッサ２１０は、映像コンテンツの再生時間を基準にして、データの生成時間を決定することができる。このとき、データ及びデータの生成時間は、ソーシャルネットワークに連動された複数の映像表示装置に伝送される。
【０１１４】
または、プロセッサ２１０は、データ生成時間により、データが映像コンテンツと同期化されて表示されるように、複数の映像表示装置のうち少なくとも一つにデータを伝送することができる。
【０１１５】
一方、図４では、第１サーバ２００及びＳＮＳサーバ３００がそれぞれ異なるサーバによって構成されるように図示されているが、第１サーバ２００及びＳＮＳサーバ３００が１つのサーバによって構成されてもよいということは言うまでもない。
【０１１６】
図５は、ソーシャルネットワークサービスに連動された複数の映像表示装置、第１サーバ及びＳＮＳサーバによって構成されたコンテンツ基盤ソーシャルネットワークサービスシステムにおいて、コンテンツの同期化方法について説明するための図面である。
【０１１７】
第１映像表示装置１０１及び第２映像表示装置１０２は、放送局またはストリーミングサーバから映像コンテンツを受信することができる。このとき、映像コンテンツは、映像信号形態で受信することができる。
【０１１８】
第１映像表示装置１０１及び第２映像表示装置１０２は、受信した映像コンテンツを基にするソーシャルネットワークサービスを実行することができる（Ｓ５１０）。このとき、第１映像表示装置１０１及び第２映像表示装置１０２は、ＳＮＳサーバ３００にユーザ識別情報を伝送し、ＳＮＳサーバにログインすることができる。
【０１１９】
ユーザ識別情報は、ユーザを識別するためのユーザ識別子、現在ユーザのＳＮＳサーバとのセッションを識別するためのセッション識別子、及び現在ユーザのセッション識別子シークレットのうち少なくともいずれか一つを含んでもよい。
【０１２０】
一方、ＳＮＳサーバにログインした第１映像表示装置１０１及び第２映像表示装置１０２は、ソーシャルネットワークを介して互いに連動される。
【０１２１】
ＳＮＳサーバ３００は、第１サーバ２００に、第１映像表示装置１０１及び第２映像表示装置１０２の映像コンテンツ同期化を要請することができる（Ｓ５２０）。
【０１２２】
第１映像表示装置１０１及び第２映像表示装置１０２は、第１サーバ２００に映像コンテンツの再生時間情報を伝送することができる（Ｓ５３０）。
【０１２３】
第１サーバ２００は、第１映像表示装置１０１及び第２映像表示装置１０２から受信した再生時間情報に基づいて、基準時間を設定することができる（Ｓ５４０）。
【０１２４】
映像コンテンツの再生時間情報は、第１映像表示装置１０１及び第２映像表示装置１０２において、映像コンテンツの再生を始める時点の時間でもある。または、映像コンテンツを受信した時点の時間でもあり、映像コンテンツを構成する各フレームがディスプレイ部に表示される時点ごとの時間でもある。
【０１２５】
このとき、該基準時間は、第１映像表示装置１０１で受信した第１再生時間、及び第２映像表示装置１０２で受信した第２再生時間のうちいずれか１つの時間に設定される。
【０１２６】
例えば、第１サーバ２００は、第１再生時間及び第２再生時間のうち遅い方の時間を基準時間として設定することができる。または、第１映像表示装置１０１が放送局から映像コンテンツを受信する場合、第１サーバ２００は、第１映像表示装置１０１で受信した第１再生時間を基準時間として設定することができる。ただし、それに限定されるものではなく、多様な基準によって基準時間が設定される。
【０１２７】
また、第１サーバ２００は、前記基準時間を第１映像表示装置１０１及び第２映像表示装置１０２に伝送することができる（Ｓ５５０）。
【０１２８】
一方、第１映像表示装置１０１及び第２映像表示装置１０２は、受信した基準時間を基にして、映像コンテンツを表示することができる（Ｓ５６０）。
【０１２９】
例えば、該基準時間が現在映像コンテンツ再生時間より遅ければ、現在再生時間と基準時間との差ほど、受信した映像コンテンツを遅延させて表示することができる。
【０１３０】
受信した映像コンテンツをすぐに出力せず、メモリに臨時に保存しておいて、基準時間に合わせ、映像コンテンツを表示することができる。
【０１３１】
図６は、本発明の一実施形態による映像表示装置の動作方法を示すフローチャートである。図６を参照すれば、映像表示装置１００は、映像コンテンツを受信する（Ｓ６１０）。このとき、映像表示装置１００は、放送局から映像コンテンツを受信したり、ストリーミングサーバから映像コンテツを受信したりすることができる（Ｓ６１０）。
【０１３２】
図８に図示されているように、受信された映像コンテンツ８１０は、映像表示装置１００に表示され、表示された映像コンテンツを基にするソーシャルネットワークサービスメニュー８３０が共に表示される。
【０１３３】
このとき、ソーシャルネットワークサービスメニュー８３０に含まれた複数のソーシャルネットワークサービスのうちいずれか一つを選択するユーザ入力を受信すれば、映像表示装置は、選択されたソーシャルネットワークサービスを実行させることができる（Ｓ６２０）。
【０１３４】
映像表示装置１００は、ソーシャルネットワークサービスを実行するためのユーザ入力を受信した場合、ユーザ情報及び映像コンテンツ情報をＳＮＳサーバ３００に伝送することができる。
【０１３５】
このとき、ユーザ情報は、、ＳＮＳサーバにログインするための認証情報を含んでもよい。図示されていないが、映像表示装置１００は、ＳＮＳサーバにログインするための認証情報を入力されるためのログインページを表示することができる。認証情報は、ＩＤ（identification）、電子メールアドレス、パスワードのうち少なくともいずれか一つを含んでもよい。
【０１３６】
映像コンテンツ８３０がリアルタイム放送プログラムである場合、該コンテンツ情報は、チャネル名、物理チャネル番号、主チャネル番号、補助チャネル番号、ソースインデックス、放送プログラム名、放送開始時間及び放送終了時間のうち少なくともいずれか一つを含んでもよい。
【０１３７】
一方、ＳＮＳサーバにログインし、映像表示装置とＳＮＳサーバとがネットワークを介して連結されれば、図９に図示されているように、映像表示装置１００は、ＳＮＳサーバから、ソーシャルネットワークに連動された他の映像表示装置ユーザ情報９１０を表示することができる。
【０１３８】
例えば、他の映像表示装置ユーザ（第２映像表示装置ユーザ）は、映像表示装置ユーザ（第１映像表示装置ユーザ）と、ソーシャルネットワークサービスを利用して、同一グループ（ソーシャルグループ）を形成しており、第１映像表示装置に表示された映像コンテンツと同一映像コンテンツを第２映像表示装置で視聴しているユーザでもある。
【０１３９】
一方、他の映像表示装置ユーザ情報９１０は、ＳＮＳアカウント、氏名、写真、年齢、関心分野、状態メッセージ、電話番号のうち少なくとも一つを含む。
【０１４０】
一方、図１０Ａ及び図１０Ｂに図示されているように、第１映像表示装置１０１及び第２映像表示装置１０２は、同一絶対時間に、映像コンテンツの互いに異なるフレームを表示することができる。
【０１４１】
例えば、第１映像表示装置１０１は、放送局から映像コンテンツを受信して表示し、第２映像表示装置１０２は、ストリーミングサーバから映像コンテンツを受信して表示することができる。
【０１４２】
一方、第２映像表示装置１０２に表示される映像コンテンツは、ストリーミング形態にエンコードする時間が必要であり、第２映像表示装置１０２において、映像コンテンツ再生のためのバッファリング時間が発生し、第１映像表示装置１０１で受信する映像コンテンツと同一映像コンテンツであるにもかかわらず、第１映像表示装置１０１で表示される映像コンテンツよりさらに遅く表示されもする。
【０１４３】
一方、ＳＮＳサーバは、第１サーバ２００に、ソーシャルネットワークに連動された映像表示装置の映像コンテンツ同期化要請を伝送することができる。
【０１４４】
映像表示装置１００は、第１サーバ２００に、映像コンテンツの再生時間情報を伝送することができる。それにより、第１サーバ２００は、ソーシャルネットワークに連動された映像表示装置の映像コンテンツ再生時間情報を受信する（Ｓ７１０）。
【０１４５】
第１サーバ２００は、受信した映像コンテンツ再生時間情報に基づいて、基準時間を設定することができる（Ｓ７２０）。このとき、該基準時間は、第１映像表示装置で受信した第１再生時間、及び第２映像表示装置で受信した第２再生時間のうちいずれか１つの時間に設定される。
【０１４６】
また、第１サーバ２００は、前記基準時間を第１映像表示装置１０１及び第２映像表示装置１０２に伝送することができる（Ｓ７３０）。
【０１４７】
それにより、映像表示装置１００は、基準時間を受信し（Ｓ６３０）、受信した基準時間に基づいて、映像コンテンツを表示することができる（Ｓ６４０）。
【０１４８】
例えば、該基準時間が現在映像コンテンツ再生時間より遅ければ、現在再生時間と基準時間との差ほど、受信した映像コンテンツを遅延させて表示することができる。
【０１４９】
受信した映像コンテンツをすぐに出力せず、メモリに臨時に保存しておいて、基準時間に合わせ、映像コンテンツを表示することができる。
【０１５０】
それにより、図１１Ａ及び図１１Ｂに図示されているように、同一映像コンテンツを基にするソーシャルネットワークに連動された第１映像表示装置１０１及び第２映像表示装置１０２に表示される映像コンテンツは、互いに同期化されて表示され、映像コンテンツの再生画面に時間的差が発生しない。
【０１５１】
従って、第１映像表示装置ユーザ及び第２映像表示装置ユーザが互いにソーシャルネットワークを介して、表示される映像コンテンツに係わるデータを伝送したり受信するとき、映像表示装置に表示されている映像コンテンツの再生画面に係わるデータを受信することができる。
【０１５２】
図１２は、ソーシャルネットワーキングサービスに連動された複数の映像表示装置、第１サーバ、及びＳＮＳサーバによって構成されたコンテンツ基盤ソーシャルネットワークサービスシステムにおいて、コンテンツとデータとの同期化方法について説明するための図面である。
【０１５３】
第１映像表示装置１０１及び第２映像表示装置１０２は、放送局またはストリーミングサーバから、映像コンテンツを受信することができる。このとき、映像コンテンツは、映像信号形態で受信することができる。
【０１５４】
第１映像表示装置１０１及び第２映像表示装置１０２は、受信した映像コンテンツを基にするソーシャルネットワークサービスを実行することができ（Ｓ１２１０）、ＳＮＳサーバ３００は、第１サーバ２００に、第１映像表示装置１０１及び第２映像表示装置１０２の映像コンテンツ同期化を要請することができる（Ｓ１２２０）。
【０１５５】
１２１０段階（Ｓ１２１０）及び１２２０段階（Ｓ１２２０）は、図５の５１０段階（Ｓ５１０）及び５２０段階（Ｓ５２９）に対応するので、それに係わる具体的な説明は、図５の５１０段階（Ｓ５１０）及び５２０段階（Ｓ５２９）に係わる説明で代替する。
【０１５６】
第１映像表示装置１０１及び第２映像表示装置１０２は、第１サーバ２００に、映像コンテンツに係わるデータ、及び映像コンテンツの再生時間情報を伝送することができる（Ｓ１２３０）。
【０１５７】
例えば、第１映像表示装置１０１ユーザと、第２映像表示装置１０２ユーザとが同一映像コンテンツを視聴している最中、第１ユーザが第２ユーザに、映像コンテンツに係わる第１データを伝送する場合、第１映像表示装置１０１は、第１データを第１サーバ２００に伝送し、第１サーバは、受信した第１データを第２映像表示装置１０２に伝送することができる。
【０１５８】
このとき、映像コンテンツに係わるデータは、映像データ、音声データ及び文字データを含んでもよい。
【０１５９】
また、データと係わる映像コンテンツの再生時間情報を共に伝送することができる。
【０１６０】
例えば、第１映像表示装置１０１ユーザが第１データを第２映像表示装置１０２に伝送する場合、第１映像表示装置１０１に第１データが入力された時点の映像コンテンツ再生時間を、第１データと共に、第１サーバ２００に伝送することができる。
【０１６１】
一方、図１２に図示されているところと異なり、第１映像表示装置１０１及び第２映像表示装置１０２は、データ、及び映像コンテンツの再生時間情報をＳＮＳサーバ３００に伝送することができ、ＳＮＳサーバ３００は、受信したデータ、及び映像コンテンツの再生時間情報を、第１サーバ２００に伝送することができる。
【０１６２】
第１サーバ２００は、受信した映像コンテンツの再生時間を基準にして、データの生成時間を決定することができる（Ｓ１２４０）。
【０１６３】
このとき、データ及びデータの生成時間は、ソーシャルネットワークに連動された複数の映像表示装置に伝送される（Ｓ１２５０）。
【０１６４】
例えば、第１映像表示装置から受信した第１データは、第２映像表示装置に伝送され、第２映像表示装置から受信した第２データは、第１映像表示装置に伝送される。
【０１６５】
それにより、第１映像表示装置１０１及び第２映像表示装置１０２は、それぞれ現在再生されている映像コンテンツの再生時間が、受信したデータの生成時間と同一になる場合、受信したデータを出力することができる（Ｓ１２６０）。
【０１６６】
または、第１サーバ２００は、データ生成時間により、データが映像コンテンツと同期化されて表示されるように、複数の映像表示装置のうち少なくとも一つにデータを伝送することができる。
【０１６７】
例えば、第１サーバ２００は、第１映像表示装置１０１で再生されている映像コンテンツの再生時間が、第２データの生成時間と同一になる時点で、第２データを第１映像表示装置１０１に伝送することができる。このとき、第１映像表示装置１０１は、受信した第２データを直ちに出力することができる。
【０１６８】
また、第１サーバ２００は、第２映像表示装置で再生されている映像コンテンツの再生時間が、第１データの生成時間と同一になる時点で、第１データを第２映像表示装置に伝送することができる。このとき、第２映像表示装置１０２は、受信した第１データを直ちに出力することができる。
【０１６９】
図１３は、本発明の他の実施形態による映像表示装置の動作方法を示すフローチャートである。図１３を参照すれば、映像表示装置は、映像コンテンツを受信して表示する（Ｓ１３１０）。
【０１７０】
また、表示された映像コンテンツを基にするソーシャルネットワークサービスを実行することができる（Ｓ１３２０）。１３１０段階（Ｓ１３１０）及び１３２０段階（Ｓ１３２０）は、図６の６１０段階（Ｓ６１０）及び６２０段階（Ｓ６１０）それぞれに対応するので、具体的な説明は、図６の６１０段階（Ｓ６１０）及び６２０段階（Ｓ６１０）の説明で代替する。
【０１７１】
映像表示装置１００は、データ及び再生時間情報を第１サーバに伝送することができる。
【０１７２】
例えば、第１映像表示装置１０１は、映像コンテンツの第１再生時間で入力された第１データを第１サーバに伝送し、第２映像表示装置１０２は、映像コンテンツの第２再生時間で入力された第２データを第１サーバに伝送することができる。
【０１７３】
このとき、映像コンテンツの再生時間情報は、映像コンテンツを再生し始めた時点を基準に経過した時間情報を含んでもよい。
【０１７４】
それにより、第１サーバ２００は、１４１０段階（Ｓ１４１０）で受信したデータの生成時間を決定することができる（Ｓ１４２０）。
【０１７５】
例えば、第１データが映像コンテンツを再生し始めた時点を基準に、１０分経過した後、第１映像表示装置に第１データが入力された場合、第１サーバ２００は、第１データに係わる生成時間を１０分と決定することができる。
【０１７６】
または、第２データが映像コンテンツを再生し始めた時点を基準に、３０分経過した後、第２映像表示装置に第２データが入力された場合、第１サーバ２００は、第２データに係わる生成時間を３０分と決定することができる。
【０１７７】
第１サーバ２００は、映像表示装置からデータ要請を受信する場合、データを伝送することができる（Ｓ１４３０）。このとき、第１サーバ２００は、データ生成時間情報を共に伝送することができる。
【０１７８】
それに対応し、映像表示装置１００は、データの生成時間及びデータを受信することができ（Ｓ１３３０）、受信したデータの生成時間に基づいて、データを出力することができる（Ｓ１３４０）。
【０１７９】
例えば、第２映像表示装置が第１サーバにデータを要請する場合、第１サーバ２００は、第１映像表示装置から受信した第１データ、及び第１データに係わる生成時間情報を受信することができる。
【０１８０】
図１５に図示されているように、第１映像表示装置１０１及び第２映像表示装置１０２は、同一絶対時間に、映像コンテンツの互いに異なるフレームを表示することができる。
【０１８１】
例えば、第２映像表示装置の映像コンテンツ再生時間が、第１映像表示装置の映像コンテンツ再生時間より遅く、第１絶対時間Ｔ１において、第１映像表示装置１０１に表示される第１フレーム１５２０が、第２絶対時間Ｔ２に、第２映像表示装置１０２に表示される。
【０１８２】
また、第１フレーム１５２０は、映像コンテンツを再生し始めた時点を基準に、１０分経過した後、表示されるフレームでもある。第１フレーム１５２０が表示されるとき、ユーザ入力によって、第２映像表示装置に伝送するための第１データ１５１０が入力され、入力された第１データ１５１０は、第１サーバ２００に伝送される。
【０１８３】
第１サーバ２００は、第１データを受信し、第１データを入力された時点の再生時間情報を基にして、第１データの生成時間を決定することができる。例えば、第１データ１５１０が、第１フレーム１５２０の表示されたとき、前記第１フレームの再生時間が１０分であるという情報を基にして、第１データの生成時間を１０分と決定することができる。
それにより、第１サーバ２００は、第２映像表示装置１０２に第１データと、第１データの生成時間情報とを伝送することができる。
【０１８４】
第２映像表示装置１０２は、第１データ１５１０を映像コンテンツの第１フレーム１５２０に表示するとき、共に出力することができる。または、映像コンテンツ再生時間が１０分になる時点で、第１データ１５１０を出力することができる。
【０１８５】
なお、本発明の映像表示装置の動作方法、またはサーバの動作方法は、映像表示装置、またはサーバに具備されたプロセッサで読み取り可能な記録媒体に、プロセッサで読み取り可能なコードとして具現することが可能である。プロセッサで読み取り可能な記録媒体は、プロセッサで読み取り可能なデータが保存される全種の記録装置を含む。プロセッサで読み取り可能な記録媒体の例としては、ＲＯＭ（read  only  memory）、ＲＡＭ（random  access  memory）、ＣＤ（compact  disc）−ＲＯＭ、磁気テープ、フロッピー（登録商標）ディスク、光データ保存装置などがあり、また、インターネットを介した伝送のようなキャリアウェーブの形態に具現されるものも含む。また、プロセッサで読み取り可能な記録媒体は、ネットワークに連結されたコンピュータシステムに分散され、分散方式でプロセッサで読み取り可能なコードが保存されて実行される。
【０１８６】
また、以上では、本発明の望ましい実施形態について図示して説明したが、本発明は、前述の特定の実施形態に限定されるものではなく、特許請求の範囲で請求する本発明の要旨を外れることなしに、当該発明が属する技術分野で当業者によって多様な変形実施が可能であるということは言うまでもなく、かような変形実施は、本発明の技術的思想や展望から個別的に理解されることがあってはならない。
【図１】
0006526017.tif 000002
【図２】
0006526017.tif 000003
【図３】
0006526017.tif 000004
【図４】
0006526017.tif 000005
【図５】
0006526017.tif 000006
【図６】
0006526017.tif 000007
【図７】
0006526017.tif 000008
【図８】
0006526017.tif 000009
【図９】
0006526017.tif 000010
【図１０Ａ】
0006526017.tif 000011
【図１０Ｂ】
0006526017.tif 000012
【図１１Ａ】
0006526017.tif 000013
【図１１Ｂ】
0006526017.tif 000014
【図１２】
0006526017.tif 000015
【図１３】
0006526017.tif 000016
【図１４】
0006526017.tif 000017
【図１５】
0006526017.tif 000018